(57)【特許請求の範囲】
【請求項１】
ＩＤ情報を保持する中央監視装置と、カード情報を読みこみ、前記ＩＤ情報と比較するカードリーダ端末と、前記中央監視装置および前記カードリーダ端末とデータを送受信する伝送中継装置とを備え、前記伝送中継装置は、前記伝送中継装置に固有のパスワードを入力するための入力端末を有し、前記中央監視装置は、前記伝送中継装置から前記伝送中継装置に固有のパスワード送信された時のみ前記ＩＤ情報を前記伝送中継装置に送信するセキュリティシステム。
【発明の詳細な説明】
【０００１】
【発明の属する技術分野】
この発明は、ビル，工場，教育施設，マンション等の集合住宅で使用するセキュリティシステムに関するものである。
【０００２】
【従来の技術】
従来のセキュリティシステムについて図７を用いて説明する。
図７において、カードリーダ端末５４と電気錠５５の状態を監視する中央監視装置５１を伝送路５６に接続する。この伝送路５６に複数台の伝送中継装置５２を接続し、各部屋ごとに設置したカードリーダ端末５４と電気錠５５に対する中央監視装置５１からの制御指令およびカードリーダ端末５４や電気錠５５からの状態信号を、この伝送中継装置５２を介して中央監視装置５１と送受信する。なお、５３はカードリーダ制御装置である。
【０００３】
人がカード（磁気カード，ＩＣカード，非接触カード）による入室を行った時、カードリーダ端末５４はカードに記録したカード情報を読み取り、中央監視装置５１から伝送中継装置５２経由で送られてきたＩＤ情報（Ｉｄｅｎｔｉｆｉｃａｔｉｏｎ情報（個人情報））とを比較し、ＩＤ情報が一致すれば電気錠５５を解錠にして、人が扉を開けてその人を入室させ、人が扉を閉めた時カードリーダ端末５４が電気錠５５を施錠する。また、ＩＤ情報が不一致の時は、電気錠５５を施錠状態のままにして入室させない。
【０００４】
またこの時、ＩＤ情報の一致，不一致にかかわらず、ＩＤ情報および電気錠５５，扉の状態を伝送中継装置５２経由で中央監視装置５１に伝送し、中央監視装置５１にて表示，記録する。
【０００５】
【発明が解決しようとする課題】
しかしながら従来のセキュリティシステムでは、中央監視装置５１から伝送中継装置５２へ伝送路５６を介してＩＤ情報を伝送する時、この伝送路５６に他のＬＡＮアナライザを接続することにより、容易に中央監視装置５１から伝送中継装置５２へ送信しようとしているＩＤ情報を受信することができる。これにより、中央監視装置５１からカードリーダ端末５４にどのようなＩＤ情報を伝送したかを部外者が容易に知ることができてしまうという問題があった。
【０００６】
また、カードリーダ端末５４にＩＤ情報が送信された時、カードリーダ端末５４にマイクロプロセッサエミュレーション装置を取付ければ、カードリーダ端末５４のメモリ回路に保持されているＩＤ情報を読出すことができるという問題もあった。
この発明は、ＩＤ情報の保護が確実に行えるセキュリティシステムを提供することを目的とする。
【０００７】
【課題を解決するための手段】
請求項１のセキュリティシステムは、ＩＤ情報を保持する中央監視装置と、カード情報を読みこみ、前記ＩＤ情報と比較するカードリーダ端末と、前記中央監視装置および前記カードリーダ端末とデータを送受信する伝送中継装置とを備え、前記伝送中継装置は、前記伝送中継装置に固有のパスワードを入力するための入力端末を有し、前記中央監視装置は、前記伝送中継装置から前記伝送中継装置に固有のパスワード送信された時のみ前記ＩＤ情報を前記伝送中継装置に送信するものである。
【０００８】
請求項１のセキュリティシステムによると、伝送中継装置に固有のパスワードを入力しないとＩＤ情報が中央監視装置から伝送中継装置に伝送されないので、単に伝送路に他のＬＡＮアナライザを接続しただけでは、中央監視装置から伝送中継装置へ送信しようとしているＩＤ情報を受信することができず、ＩＤ情報の保護が確実に行える。
【００１０】
【発明の実施の形態】
第１の実施の形態
この発明の第１の実施の形態について、図１および図２を参照しながら説明する。
図１において、カードリーダ端末１４と電気錠１５の状態を監視する中央監視装置１１を伝送路１６に接続する。この伝送路１６に複数台の伝送中継装置１２を接続し、各部屋ごとに設置したカードリーダ端末１４と電気錠１５に対する中央監視装置１１からの制御指令およびカードリーダ端末１４や電気錠１５からの状態信号を、この伝送中継装置１２を介して中央監視装置１１と送受信する。なお、１３はカードリーダ端末１４で読み込んだカード情報（個人情報）と、中央監視装置１１から伝送中継装置１２経由で送信されてきたＩＤ情報とを比較し、電気錠１５を制御するカードリーダ制御装置である。また、１７は中央監視装置１１と伝送中継装置１２の間の伝送プロトコルである。
【００１１】
図２は、中央監視装置１１と伝送中継装置１２の間の伝送の流れを示している。
ＩＤ情報２２を中央監視装置１１より伝送中継装置１２に送信する時、伝送中継装置１２よりＩＤ情報要求コマンド１９が送信されてきも、ＩＤ情報２２を送信せず、中央監視装置１１より伝送中継装置１２に対してパスワード要求コマンド２０を送信する。伝送中継装置１２にオペレーション用コンソール１８を接続し、人がその伝送中継装置１２の固有のパスワードを入力することにより、伝送中継装置１２よりパスワード応答コマンド２１を中央監視装置１１に送信する。その後、はじめてＩＤ情報２２を中央監視装置１１より送信する。
【００１２】
また、中央監視装置１１より伝送中継装置１２にＩＤ情報２２を送信する時、ＩＤ情報２２をブロック単位にビットの順序を一定の法則で配列し直し、暗号化して送信する。
そして、人がカード（磁気カード，ＩＣカード，非接触カード）による入室を行った時、カードリーダ端末１４はカードに記録したカード情報を読み取り、中央監視装置１１から伝送中継装置１２経由で送られてきたＩＤ情報とを比較し、ＩＤ情報が一致すれば電気錠１５を解錠にして、人が扉を開けてその人を入室させ、人が扉を閉めた時カードリーダ端末１４が電気錠１５を施錠する。また、ＩＤ情報が不一致の時は、電気錠１５を施錠状態のままにして入室させない。
【００１３】
またこの時、ＩＤ情報の一致，不一致にかかわらず、ＩＤ情報および電気錠１５，扉の状態を伝送中継装置１２経由で中央監視装置１１に伝送し、中央監視装置１１にて表示，記録する。
このように構成されたセキュリティシステムによると、オペレーション用コンソール１８を使用して伝送中継装置１２の固有のパスワードを入力しなければ、ＩＤ情報２２が中央監視装置１１から伝送中継装置１２に伝送されない。このため、単に伝送路１６に他のＬＡＮアナライザを接続しただけでは、中央監視装置１１から伝送中継装置１２へ送信しようとしているＩＤ情報２２を受信することができず、ＩＤ情報の保護が確実に行え、非常に品質の高いセキュリティシステムが得られる。
【００１４】
また、中央監視装置１１より伝送中継装置１２にＩＤ情報２２を送信する時、ＩＤ情報２２をブロック単位にビットの順序を一定の法則で配列し直し、暗号化して送信するので、例えば中央監視装置１１より伝送中継装置１２に自動的にＩＤ情報２２を送信した場合でも、部外者がＩＤ情報２２を読み取ることができなくなり、ＩＤ情報の保護がより一層確実に行える。
【００１５】
第２の実施の形態
この発明の第２の実施の形態を図３ないし図６に示す。なお、セキュリティシステムの構成は図１に示した第１の実施の形態と同様である。図３ないし図５はカードリーダ端末１４の構造を示しており、図６はカードリーダ端末１４の内部構成を示している。
【００１６】
図３ないし図５において、３０はカードリーダ端末本体であり、分解／こじ開け検知用のリミットスイッチ３１が設けられており、壁面等の設置箇所３２に固着具３３にて固定する。また、３４はカードリーダ端末のカバーであり、カバー３４を取付けるとリミットスイッチ３１がＯＮになり、カバー３４を開くとＯＦＦになる。また、ＬＣＤ部３５とあるのは、操作者が次に操作すべき内容を表示したり、あるいはカードリーダ端末の現在の状態や故障状態を表示する液晶ディスプレイである。また、操作部３６とあるのは、最後の人が部屋を施錠して帰宅する時、機械警備設備と連動させるために操作し、最終退室状態を機械警備に伝送するためのキーである。
【００１７】
図６において、４０はメモリ部、４１は比較器、４２は制御電源、４３はバックアップ用バッテリー、４４はＣＰＵ部、４５は制御部である。また、メモリ部４０におけるａは電源、ｂはデータ線、ｃはコントロール線、ｄはアドレス線がそれぞれ接続される。比較器４１では、記憶保持用のバックアップ用バッテリー４３からメモリ部４０へ電源を供給するのか、あるいは制御電源４２からメモリ部４０へ電源を供給するのかを判定している。なお、リミットスイッチ３１はメモリ部４０と比較器４１の間に接続されている。
【００１８】
第３者が、カードリーダ端末１４のメモリ部４０に保持されているＩＤ情報を読み取りまたは改ざんしようとして、何らかの物理的，機械的要因によりカバー３４をこじ開けると、リミットスイッチ３１がＯＦＦになってメモリ部４０への制御電源４２が喪失し、メモリ部４０に記憶されていたＩＤ情報が瞬時になくなる。
【００１９】
このように構成されたセキュリティシステムによると、カードリーダ端末１４に保持されているＩＤ情報を読み取りまたは改ざんしようとしてカードリーダ端末１４を分解すると、カードリーダ端末１４に保持されたＩＤ情報が消去されてしまい、ＩＤ情報の保護が確実に行える。
【００２０】
【発明の効果】
請求項１のセキュリティシステムによると、伝送中継装置に固有のパスワードを入力しないとＩＤ情報が中央監視装置から伝送中継装置に伝送されないので、単に伝送路に他のＬＡＮアナライザを接続しただけでは、中央監視装置から伝送中継装置へ送信しようとしているＩＤ情報を受信することができず、ＩＤ情報の保護が確実に行え、部外者がいかなる手段によってもＩＤ情報を読み出すことができず、非常に品質の高いセキュリティシステムを構築できる。
【図面の簡単な説明】
【図１】この発明の第１の実施の形態におけるセキュリティシステムの構成図である。
【図２】この発明の第１の実施の形態におけるセキュリティシステムの伝送の流れを示す図である。
【図３】この発明の第２の実施の形態におけるセキュリティシステムのカードリーダ端末の正面図である。
【図４】この発明の第２の実施の形態におけるセキュリティシステムのカードリーダ端末の側面図である。
【図５】この発明の第２の実施の形態におけるセキュリティシステムのカードリーダ端末の動作説明図である。
【図６】この発明の第２の実施の形態におけるセキュリティシステムのカードリーダ端末の内部構成図である。
【図７】従来例におけるセキュリティシステムの構成図である。
【符号の説明】
１１  中央監視装置
１２  伝送中継装置
１３  カードリーダ制御装置
１４  カードリーダ端末
１５  電気錠
１６  伝送路
１７  伝送プロトコル
１８  オペレーション用コンソール
１９  ＩＤ情報要求コマンド
２０  パスワード要求コマンド
２１  パスワード応答コマンド
２２  ＩＤ情報
３０  カードリーダ端末本体
３１  リミットスイッチ
３４  カバー
４０  メモリ部
【図１】
0003600706.tif 000002
【図２】
0003600706.tif 000003
【図３】
0003600706.tif 000004
【図４】
0003600706.tif 000005
【図５】
0003600706.tif 000006
【図６】
0003600706.tif 000007
【図７】
0003600706.tif 000008